(57)【要約】【課題】放射能汚染物、放射瓦礫能焼却灰の処理に関するコンクリート製放射能密閉格納容器と使用方法を提供する。【解決手段】コンクリートの継ぎ目が出来ないように、ボルトを立て込んだ周りの４面と底面を１回でコンクリート製放射能密閉格納容器を打設し、コンクリート製放射能密閉容器の蓋との接合部の水混入防止機構に遮断材を施工し、外気が入らない、内気が抜けない構造の、密閉出来るコンクリート製放射能密閉格納容器の中に、放射能汚染物、放射能瓦礫焼却灰を入れ、コンクリート製放射能密閉格納容器の蓋をかけ、ボルトにナットをしてコンクリート製放射能密閉格納容器の蓋を締め付け圧着させ、又、コンクリート製放射能密閉格納容器の上面を積み上げストッパーと共に１回でコンクリートを打設し蓋として密閉し、コンクリート製放射能密閉格納容器に運搬用の穴に器具を用いて、集積、移動、管理が容易に出来ることを特徴とするコンクリート製放射能密閉格納容器。【選択図】図２
2014157145.tif 000002
【特許請求の範囲】
【請求項１】
コンクリートの打設継ぎ目ができないように、周りの４面と底面を１回でコンクリートを打設した、コンクリート製放射能密閉格納容器と、コンクリート製放射能密閉格納容器の蓋との接合部の水混入防止機構に、遮断材を施工し、外気が入らない、内気が抜けない構造の、密閉出来るコンクリート製放射能密閉格納容器の中に、塗装も出来ることを可能にして、放射能汚染物、放射能瓦礫焼却灰を入れ、コンクリート製放射能密閉格納容器の蓋をのせ、ボルトにナットをしてコンクリート製放射能密閉格納容器の蓋を締め付け圧着させ密閉することを特徴とする、コンクリート製放射能密閉格納容器と使用方法。
【請求項２】
コンクリート製放射能密閉格納容器の上面に積み上げストッパーと共に１回でコンクリートを打設し蓋をすることを特徴とした請求項１に記載のコンクリート製放射能密閉格納容器と使用方法。
【請求項３】
コンクリート製放射能密閉格納容器に運搬用の穴を設け、穴に器具を用いて、集積、移動、管理が容易に出来ることを特徴とする請求項１に記載のコンクリート製放射能密閉格納容器と使用方法。
【請求項４】
コンクリート製放射能密閉格納容器に積み上げストッパー穴を設け、コンクリート製放射能密閉格納容器の蓋に一体とした積み上げストッパーと組み合わせるため、コンクリート製放射能密閉格納容器を積み上げ時に、衝撃に強く、荷崩れしないことを特徴とする請求項１に記載のコンクリート製放射能密閉格納容器と使用方法。
【請求項５】
コンクリート製放射能密閉格納容器を積み重ねることによって容器を集積し、コンクリートで幾重にも巻きたてが出来ることを特徴とした請求項４に記載のコンクリート製放射能密閉格納容器と使用方法。
【発明の詳細な説明】
【技術分野】
【０００１】本発明は放射能汚染物及び放射能瓦礫の焼却灰の処理と使用方法に関するものである。
【背景技術】
【０００２】従来、放射能で汚染した物、焼却した灰は袋に入れ、あるいは集積して  ビニール等をかけて保管しているのが現実である。
【発明の概要】
【発明が解決しようとする課題】
【０００３】地表に降り注いだ放射能を取り除く事がなされている、放射能瓦礫を焼却した灰にも放射能は残る、改良した袋に入れて完全密閉しても、通り抜ける放射能も多く、放射能汚染物、放射能瓦礫の焼却灰にはヨウ素１３１、セシウム１３４、セシウム１３７、その他の放射能物質を含んでいる、ヨウ素１３１、セシウム１３４、セシウム１３７は主要三核種であり三核種は軽いため飛び散りやすい性質で、ヨウ素１３１を高濃度摂取した場合の危険性は放射線がもたらす遅発生の甲状腺がんである、その他の可能性を含んだものも数多く指摘されている、表土と灰とに混ざってしまった、いろいろな放射能を個々に分離するのは不可能とされている、また、半減期は放射能の種類によって何日、何十年、何百年といろいろである、その間、放射能汚染物、放射能焼却灰を袋に入れて並べて置くには、広大な敷地が必要になり、積み重ねれば、下になった袋に負担がかかり亀裂を招きかねない、本発明は以上の問題点を解決するためになされたものである。
【課題を解決するための手段】
【０００４】コンクリートの打設継ぎ目ができないように、周りの４面と、底面を、１回でコンクリートを打設した、コンクリート製放射能密閉格納容器の中に、遮断材の塗装もできることを可能にし、放射能汚染物、放射能瓦礫焼却灰を入れ、コンクリート製放射能密閉格納容器と、コンクリート製放射能密閉格納容器の蓋、の接合部に水混入防止機構を設け、遮断材を施工し、内気が抜けない、外気が入らない施工をして、コンクリート製放射能密閉容器の蓋をして、コンクリート製放射能密閉格納容器と一体して埋め込んである、ボルトにナットをしてコンクリート製放射能密閉格納容器の蓋を締めつけ圧着させ、また、コンクリート製放射能密閉格納容器に積み上げストッパーと共に１回でコンクリートを蓋として打設し密封し、運搬用の穴に器具を用いて移動、集積、管理することが容易にして、コンクリート製放射能密閉格納容器の蓋に一体とした積み上げストッパーと、積み上げストッパー穴とで、組み合わせるため、衝撃に強く、荷崩れしないようにコンクリート製放射能密閉格納容器を積み上げることが可能にして、コンクリート製放射能密閉格納容器を積み上げ後、幾重にもコンクリートで周りを巻きたてることが容易に出来る、以上を特徴とする放射能汚染物と放射能瓦礫焼却灰のコンクリート製放射能密閉格納容器と使用方法。
【発明の効果】
【０００５】  従来、放射能汚染物、放射能瓦礫焼却灰は、袋に入れて建屋に保管し、また、野積みにされ、シート等をかけて保管されていた、放射能は入れ物の種類によって、通り抜ける種類と通り抜けない種類があり、降り注いだ放射能にはいろいろな種類の放射能が混じっているため、除染の際に土、灰とに混合された放射能を種類別に分離することは不可能とされている、又、半減期が早いもので何日、何十年、何百年もかかるもの、いろいろである、ドラム缶に入れても  鉄は錆びる、袋は放射能が抜ける可能性がある、移動の際に通り抜けた放射能は、まき散らしていると同様である、コンクリート製の密閉格納容器の箱の中に密閉することによって、移動、集積、運搬が容易に出来るものであり、コンクリート製放射能密閉格納容器の蓋と一体とした積み上げストッパーと積み上げストッパー穴とを組み合わせるため、コンクリート製の密閉格納容器を積み上げた後、衝撃に強く、倒壊の心配なく積み上げ、周りをコンクリートで幾重にも巻き立てが出来るものである。
【図面の簡単な説明】
【０００６】
【図１】  本発明の断面図
【図２】  本発明の密閉図
【図３】  本発明の斜視図
【図４】  本発明の活用図
【図５】  本発明の組み立て図
【発明を実施するための形態】
【０００７】  以下、本発明の形態を説明する。
（イ）  コンクリート製放射能密閉格納容器（１）とコンクリート製放射能密閉格納容器の蓋（２）の間に水混入防止機構（３）を設ける。
（ロ）  コンクリート製放射能密閉格納容器（１）の中に遮断材の塗装（１２）をして放射能汚染物、放射能瓦礫焼却灰（９）を入れ、コンクリート製放射能密閉格納容器（１）とコンクリート製放射能密閉格納容器の蓋（２）の接合部に遮断材（４）を設置してコンクリート製放射能密閉格納容器の蓋（２）をして  ボルト（５）にナット（６）をして締め付けて圧着して密閉する。
（ハ）運搬用穴（１１）で器具を用いて運搬、集積、移動する。
（ニ）コンクリート製放射能密閉格納容器の蓋と一体とした積み上げストッパー（７）に積み上げストッパー穴（８）を合わせて組み合わせて積み上げる。
（ホ）積み上げた、コンクリート製放射能密閉格納容器（１）の周りを巻き立てコンクリート（１０）で幾重にも巻きたてる、
本発明は以上の構成よりなっている。
本発明を使用するときは、
コンクリート製放射能密閉格納容器（１）に放射能汚染物、放射能瓦礫焼却灰（９）、を入れて、コンクリート製放射能密閉格納容器（１）とコンクリート製放射能密閉格納容器の蓋（２）との接合部に水混入防止機構（３）を設け、遮断材（４）を設置し、コンクリート製放射能密閉格納容器の蓋（２）をして、コンクリート製放射能密閉格納容器（１）と一体で埋め込んであるボルト（５）、にナット（６）をしてコンクリート製放射能密閉格納容器の蓋（２）を締め付けて圧着させ、また、コンクリート製放射能密閉格納容器の上面に積み上げストッパーと共にコンクリートを蓋として打設し密閉する。
【実施例１】
【０００８】コンクリート製放射能密閉容器の蓋（２）に一体とした積み上げストッパー（７）と積み上げストッパー穴（８）、を組みあわせて積み重ねることが可能で、衝撃時にも倒壊の心配がなく、運搬用穴（１１）に器具を用いて、移動、積み上げ、管理が容易に出来るものである。
【実施例２】
【０００９】積み上げることによってコンクリート製放射能密閉格納容器（１）を巻き立てコンクリト（１０）で幾重にも巻き立てができるものである。
【符号の説明】
【０００１０】１    コンクリート製放射能密閉格納容器
２    コンクリート製放射能密閉格納容器の蓋
３    水混入防止機構
４    遮断材
５    ボルト
６    ナット
７    積み上げストッパー
８    積み上げストッパー用穴
９    放射能汚染物、放射能瓦礫焼却灰
１０  巻き立てコンクリート
１１  運搬用穴
１２  塗装
【図１】
2014157145.tif 000003
【図２】
2014157145.tif 000004
【図３】
2014157145.tif 000005
【図４】
2014157145.tif 000006
【図５】
2014157145.tif 000007